(57)【要約】【課題】リンキングがより効率的である記録方法とデバイスを提供すること。【解決手段】部分的に記録された書き込み可能な記録担体（１１）、例えば光学ディスクに情報信号を記録するための方法とデバイス。情報信号は、少なくとも１つの情報単位を表す。記録担体は、情報単位を記録するための位置を示すあらかじめ形成されたトラックポジション情報を有する。情報信号から変調信号が生成され、この変調信号を記録するために記録トラックが走査される。記録が既存の記録済み情報単位の後に隣接する位置に行われる場合には、既存の記録済み情報単位の終端境界域からリンキング情報が読み取られ、変調信号を論理的に生成するために使用される。記録が既存の情報単位の前に隣接する位置に行われる場合には、既存の情報単位の開始境界域からリンキング情報が読み取られ、変調信号を論理的に生成するために使用される。【選択図】図５
2004511874.tif 000002
【特許請求の範囲】
【請求項１】
情報単位を記録するための所定の位置を示すあらかじめ形成されたトラックポジション情報を有する記録トラックを有し、かつ当該位置の第一位置がそれ以前に記録された情報単位を有する、記録担体上に、少なくとも１つの情報単位を記録する方法であって、当該方法が、
（ａ）前記少なくとも１つの情報単位を表す変調信号を生成するステップと、
（ｂ）前記記録トラックを走査して当該位置の第二位置において前記変調信号を記録するステップと、
を有する方法において、前記方法が、
（ｃ）当該位置の前記第二位置が当該位置の前記第一位置の後ろに隣接する場合に、当該位置の当該第一位置の終端境界域からリンキング情報を読み取るステップと、前記変調信号を論理的に生成するために前記リンキング情報を使用するステップ
を有することを特徴とする、方法。
【請求項２】
前記方法が、
（ｄ）当該位置の前記第二位置が当該位置の前記第一位置の前に隣接する場合に、当該位置の当該第一位置の開始境界域からリンキング情報を読み取るステップと、前記変調信号を論理的に生成するために前記リンキング情報を使用するステップと、
を有することを特徴とする、請求項１に記載の方法。
【請求項３】
前記リンキング情報が、エラー符号器を事前設定するための、それ以前に記録された情報単位の最後の部分を有する、請求項１に記載の方法。
【請求項４】
前記変調信号を書き込んだ後に、前記少なくとも１つの情報単位と前記それ以前に記録された情報単位の第一部分に基づいて、当該第一部分を表す追加の変調信号とエラー訂正ワードとを生成し、かつ前記追加の変調信号を前記開始境界域に記録するために、前記リンキング情報が、当該第一部分を有する、請求項２に記載の方法。
【請求項５】
前記リンキング情報が追加の記録情報、特に、ＣＤサブコードを有する、請求項１または２に記載の方法。
【請求項６】
リンキング情報が、前記少なくとも１つの情報単位の前記データバイトの後の前記終端境界域に追加的に記録される、請求項１に記載の方法。
【請求項７】
前記それ以前に記録された情報単位が、当該追加的に記録されたリンキング情報を有する終端境界域によって終了し、かつ、前記変調信号の前記記録が、前記終端境界域を上書きすることによって開始される、
または、当該記録担体が、ライトワンスタイプであり、かつ前記リンキング情報が、連続する情報単位を記録するときにエラー符号器を事前設定できるように所定の値のダミーデータバイトを含む、請求項６に記載の方法。
【請求項８】
情報単位を記録するための所定の位置を示すあらかじめ形成されたトラックポジション情報を有する記録トラックを有し、かつ当該位置の第一位置がそれ以前に記録された情報単位を有する、記録担体上に、少なくとも１つの情報単位を記録するためのデバイスであって、当該デバイスが、
前記少なくとも１つの情報単位を表す変調信号を生成するための変調器手段と、
前記記録トラックを走査して当該位置の第二位置において前記変調信号を記録するための記録手段と、
を有するデバイスにおいて、前記デバイスが、
当該位置の前記第二位置の直前の前記位置の終端境界域からリンキング情報を読み取るための検索手段を有することと、前記変調器手段が、当該位置の前記第二位置が当該位置の前記第一位置の後ろに隣接する場合に、前記変調信号を論理的に生成するために前記リンキング情報を使用するためのリンキング手段を有することとを特徴とする、デバイス。
【請求項９】
前記検索手段が、当該位置の前記第二位置の後ろの前記位置の開始境界域からリンキング情報を読み取るように構成され、かつ、前記リンキング手段が、当該位置の前記第二位置が当該位置の前記第一位置の前に隣接する場合に、前記変調信号を論理的に生成するために前記リンキング情報を使用するように構成されていることを特徴とする、請求項８に記載の方法。
【請求項１０】
前記記録手段が、前記少なくとも１つの情報単位の前記データバイトの後の前記終端境界域にリンキング情報を追加的に記録するように構成されている、請求項８に記載の方法。
【発明の詳細な説明】
【０００１】
【発明が属する技術分野】
本発明は、情報単位を記録するための所定の位置を示すあらかじめ形成されたトラックポジション情報を有し、かつ当該位置の第一位置が、それ以前に記録された情報単位を有する、記録担体上に、少なくとも１つの情報単位を記録する方法であって、当該方法が、前記少なくとも１つの情報単位を表す変調信号を生成するステップと、前記記録トラックを走査して当該位置の第二位置において前記変調信号を記録するステップとを有する、方法に関する。
【０００２】
本発明は、さらに、情報単位を記録するための所定の位置を示すあらかじめ形成されたトラックポジション情報を有し、かつ当該位置の第一位置が、それ以前に記録された情報単位を有する、記録担体上に、少なくとも１つの情報単位を記録するデバイスであって、当該デバイスが、前記少なくとも１つの情報単位を表す変調信号を生成するための変調器手段と、前記記録トラックを走査して当該位置の第二位置において前記変調信号を記録するための記録手段とを有する、デバイスにも関する。
【０００３】
【従来の技術】
記録担体上に情報単位を連続的に記録するための方法と装置は、 ＵＳＰ ５，１８７，６９９ （ＰＨＱ８８００２）から公知である。情報単位からの情報は、変調信号に変調され、あらかじめ記録されたトラックポジション情報によって示される所定の位置においてトラックに記録される。記録担体上のトラック内の隣接する領域に信号を連続的に記録するプロセスは、リンキング（ｌｉｎｋｉｎｇ）と呼ばれる。公知のリンキング方法では、最初の変調信号が完全に記録された後、記録プロセスは、情報単位の最後のデータバイトの後のリンク位置まで継続する。次の情報信号を記録する際には、次の所定の位置の先頭までダミー情報を記録することによって、記録プロセスをこのリンク位置で開始する。この結果、最初の記録された信号と２番目の記録された信号の間に、このリンク位置を含むいわゆるリンキングブロックが作成される。ＣＤシステムのようにエラー訂正を使用する記録システムの場合、変調信号には追加のエラーコードが含まれる。リンク時に、最後に記録された情報単位に関連するエラーコードが、最後のデータバイトを超えて延在することがある。エラー訂正を完全に可能にするためには、多数のランインブロック（ｒｕｎ−ｉｎ ｂｌｏｃｋ）とランアウトブロック（ｒｕｎ−ｏｕｔ ｂｌｏｃｋ）がリンクブロックとして必要である。しかしながら、リンキングブロックは、有効な記録された情報を含まず、データの格納容量が低下する。
【０００４】
【課題を解決するための手段】
本発明の目的は、リンキングがより効率的である記録方法とデバイスを提供することである。
【０００５】
この目的のため、冒頭の段落に記載されている方法は、前記方法が、当該位置の前記第二位置が当該位置の前記第一位置の後ろに隣接する場合に、当該位置の当該第一位置の終端境界域からリンキング情報を読み取るステップと、前記変調信号を論理的に生成するために前記リンキング情報を使用するステップとを有することを特徴とする。さらに、冒頭の段落に説明されている前記デバイスは、前記デバイスが、当該位置の前記第二位置の直前の前記位置の終端境界域からリンキング情報を読み取るための検索手段を有することと、前記変調器手段が、当該位置の前記第二位置が当該位置の前記第一位置の後ろに隣接する場合に、前記変調信号を論理的に生成するために前記リンキング情報を使用するためのリンキング手段を有することを特徴とする。リンキング情報を読み取って使用することは、直前の情報単位を考慮に入れて変調信号が論理的に生成されるという利点を有する。従って、変調信号は、それ以前に記録された情報単位と直接的に結合する。従って、必要なリンキングブロックの数を低減させることができる。
【０００６】
本発明は、以下の認識にも基づく。通常の記録システムは、エラー訂正手段を有する。エラーコードワードは、情報単位のデータワードに追加される。具体的には、このようなコードワードは、バーストエラーのような局所的な物理的エラーを損傷のないエラーコードワードによって訂正できるように、データワードの物理的な近傍に格納されるのではなく、記録トラックの長い部分にインターリーブされる。しかしながら、このようなインターリーブは、多数のブロックにわたって延在する。通常の記録可能ＣＤシステムでは、多数のランインブロックとランアウトブロックが先行し、そのあとに記録ブロックが続く。本発明者は、それ以前にすでに記録されたブロックの最後の部分を読み取り、このデータを使用して、変調器手段の中のエラーコード発生器を事前に設定することによって、リンキングブロックの数を低減できることを認識した。さらなる実施例においては、変調信号を論理的に構築するために使用する目的で、境界域から別のリンキング情報を読み取ることができる。ここで留意すべき点として、それ以前に記録された情報から同期パターンを読み取って、新しい記録プロセスのタイミングをとるためにそのようなパターンのタイミングを使用することは、タイミングをとる、または同期するための物理的リンキングと見なされる。このような物理的リンキングは、変調信号の論理的な内容を含まず、従って、変調信号を論理的に生成するためにリンキング情報を使用しない。
【０００７】
デバイスの一実施例は、読み取り手段が、当該位置の前記第二位置の後ろの前記位置の開始境界域からリンキング情報を読み取るように構成され、かつ、前記リンキング手段が、当該位置の前記第二位置が当該位置の前記第一位置の前に隣接する場合に、前記変調信号を論理的に生成するために前記リンキング情報を使用するように構成されていることを特徴とする。このことは、それ以前に記録された情報単位の前のリンキングブロックの数を低減できるという利点を有する。
【０００８】
デバイスのさらなる実施例は、前記記録手段が、少なくとも１つの情報単位の前記データバイトの後の前記終端境界域にリンキング情報を記録するように構成されていることを特徴とする。このことは、リンキング情報を限定された領域から読み取ることができることと、変調信号を生成するためにリンキング情報を直接使用できることと、それ以前に記録されたデータの大きなセクションに基づいてリンキング情報を計算する必要がないという利点を有する。
【０００９】
本発明による有利かつ望ましいさらなる実施例は、さらなる従属請求項に示されている。
【００１０】
本発明の上記およびその他の観点は、以下の説明の中で例を通じて説明されている実施例と添付の図面とを参照しながら、さらに明確に解明されるであろう。
【００１１】
異なる図における対応する要素には、同じ参照数字が使用されている。
【００１２】
【発明を実施するための形態】
図１ａは、トラック９と中心穴１０を有するディスク形状の記録担体１１を示す。トラック９は、情報を表す一連の記録されるマークのポジションであり、情報層上の実質的に平行なトラックを構成する回転らせんパターンに従って配置されている。記録担体は、光学ディスクと呼ばれる記録可能なタイプの情報層を有する光学的に読み取り可能なタイプでよい。記録可能なディスクの例として、ＣＤ−ＲおよびＣＤ−ＲＷと、ＤＶＤ＋ＲＷなどＤＶＤの書き込み可能バージョンがあげられる。情報は、例えば、相変化物質における結晶質または非晶質のマークなど、光学的に検出可能なマークをトラック沿いに記録することによって、情報層上に表される。記録可能なタイプの記録担体上のトラック９は、空の記録担体の製造時に形成される、あらかじめエンボス化されるトラック構造によって示される。このトラック構造は、例えば、走査時に読み取り／書き込みヘッドがトラックをたどることを可能にするプリグルーブ１４によって構成される。トラック構造は、通常はブロックと呼ばれる情報単位の位置を示すための位置情報（例：アドレス）を有する。この位置情報は、このような単位の先頭を位置を認識するための固有の同期マークを含むことができる。
【００１３】
図１ｂは、記録可能なタイプの記録担体１１の線ｂ−ｂに沿った断面図であり、透明基板１５に記録層１６と保護層１７が形成されている。保護層１７は、さらなる基板層を有することができ、例えば、ＤＶＤの場合には、０．６ ｍｍの基板上に記録層があり、この裏側に０．６ ｍｍのさらなる基板が接着される。プリグルーブ１４は、基板１５材料のくぼみまたは突部（ｉｎｄｅｎｔａｔｉｏｎ ｏｒ ａｎ ｅｌｅｖａｔｉｏｎ）として、または周囲と異なる材料物性として実施することができる。
【００１４】
記録担体１１は、フレームを有する変調信号によって表される情報を伝えることを目的とする。フレームとは、その前に同期信号が存在する所定量のデータである。通常、このようなフレームは、例えば、パリティワードなどのエラー訂正コードも有する。このような記録システムの例は、ＤＶＤシステムから公知である。ＤＶＤシステムでは、フレームは１７２個のデータワードと１０個のパリティワードを伝える。ＣＤシステムでは、エラー訂正は、パリティワードを追加することとインターリービングによって行われる、これは、いわゆるＣＩＲＣ （Ｃｒｏｓｓ Ｉｎｔｅｒｌｅａｖｅｄ Ｒｅｅｄ−Ｓｏｌｏｍｏｎ Ｃｏｄｅ）であり、ＧＢ ２０７６５６９に説明されている。エラー訂正の第一層（Ｃ１と呼ばれる）は、ランダムエラーのような小さな局所的エラーを訂正し、第二層（Ｃ２と呼ばれる）は、バーストエラーなどの大きなエラーを訂正する。さらに、ＣＤシステムでは、フレームは、サブコードデータを含み、このサブコードは、例えば、再生時間の情報とトラック／ポーズのインジケータを含む。
【００１５】
図２は、書き込み可能または書き換え可能なタイプ（例：ＣＤ−ＲまたはＣＤ−ＲＷ）である記録担体１１上に情報を書き込むための記録デバイスを示す。このデバイスには、記録担体上のトラックを走査するための記録手段が設けられている。この記録手段は、記録担体１１を回転させるための駆動装置２１と、ヘッド２２と、トラック上の半径方向におけるヘッド２２のおよその位置を決めるための位置決め装置２５と、制御装置２０とを含む。ヘッド２２は、記録担体の情報層のトラック上の放射線スポット２３にフォーカスされた光素子を通じてガイドされる放射線ビーム２４を生成するための、公知のタイプの光学システムを有する。放射線ビーム２４は、例えば、レーザダイオードなどの放射線源によって生成される。ヘッドは、さらに、放射線ビーム２４のフォーカスをこのビームの光軸に沿って動かすためのフォーカス合わせアクチュエータと、半径方向についてトラックの中心上にスポット２３を正確に位置決めするためのトラッキングアクチュエータとを有する（図示されていない）。トラッキングアクチュエータは、光素子を半径方向に動かすためのコイルを有するか、これに代えて、反射素子の角度を変えるように構成することができる。情報の書き込みの場合には、放射線は、光学的に検出可能なマークを記録層に作成するように制御される。読み取りの場合には、情報層によって反射される放射線が、ヘッド２２の中の通常のタイプの検出器（例：四象限ダイオード（ｆｏｕｒ−ｑｕａｄｒａｎｔ ｄｉｏｄｅ））によって検出され、読み取り信号と、トラッキングアクチュエータおよびフォーカシングアクチュエータを制御するためのトラッキングエラー／フォーカシングエラー信号を含むさらなる検出器信号とが生成される。読み取り信号は、復調器と、逆フォーマッタ（ｄｅｆｏｒｍａｔｔｅｒ）と、情報を検索するための出力装置とを含む、通常のタイプの読み取り処理装置３０によって処理される。従って、情報を読み取るための検索手段は、駆動装置２１、ヘッド２２、位置決め装置２５、読み取り処理装置３０を含む。デバイスは、入力情報を処理してヘッド２２を駆動するための書き込み信号を生成するための書き込み処理手段を有し、この書き込み処理手段は、入力装置２７と、フォーマッタ２８および変調器２９を有する変調器手段とを有する。制御装置２０は、情報の記録と検索を制御し、ユーザまたはホストコンピュータからのコマンドを受信するように構成することができる。制御装置２０は、入力装置２７、フォーマッタ２８、変調器２９、読み取り処理装置３０、駆動装置２１、位置決め装置２５に、制御ライン２６（例：システムバス）を介して接続される。制御装置２０は、図３〜６を参照して後に説明される本発明による手順と機能を実行するための、制御回路（例：マイクロプロセッサ）、プログラムメモリ、制御ゲートを有する。制御装置２０は、論理回路内のステートマシン（ｓｔａｔｅ ｍａｃｈｉｎｅ）として実施することもできる。書き込み動作時には、情報を表すマークが記録担体上に形成される。マークは、光学的に読み取り可能な任意の形式でよく、例えば、色素、合金、または相変化物質などの材料に記録するときに得られる、反射係数が周囲���異なる領域の形式、あるいは、磁気光学材料に記録するときに得られる、磁化の方向が周囲と異なる領域の形式をとることができる。光学ディスク上に記録するための情報の書き込みおよび読み取りと、使用可能なフォーマッティング（ｆｏｒｍａｔｔｉｎｇ）、エラー訂正、およびチャネル符号化の規則は、この技術分野において、例えば、ＣＤシステムから周知である。マークは、通常はレーザーダイオードからの電磁放射線のビーム２４を介して記録層上に生成されるスポット２３によって形成することができる。ユーザ情報は、入力装置２７上に提示され、この入力装置は、アナログオーディオおよび／またはビデオ、またはデジタル無圧縮オーディオ／ビデオなどの入力信号用の圧縮手段を有することができる。適切な圧縮手段は、オーディオについてはＷＯ ９８／１６０１４−Ａ１ （ＰＨＮ １６４５２）に、ビデオについてはＭＰＥＧ２標準規格に記載されている。入力装置２７は、オーディオおよび／またはビデオを情報単位に処理する。この情報単位は、記録形式に従って制御データを追加しデータをフォーマッティングする目的で（例：エラー訂正符号（ＥＣＣ））の追加および／またはインターリービングによる）、フォーマッタ２８に渡される。コンピュータでの応用の場合には、情報単位は、インタフェースを介してフォーマッタ２８に直接送ることができる。フォーマッタ２８の出力からのフォーマッティング済みデータは、変調装置２９に渡される。この変調装置は、ヘッド２２を駆動する変調信号を生成するための、例えば、チャネル符号器を有する。さらに、変調装置２９は、変調信号内のパターンの同期などのための同期手段を有する。変調装置２９の入力に提示されるフォーマッティング済み情報単位は、アドレス情報を有し、制御装置２０の制御のもとに記録担体上の対応するアドレシング可能な位置に書き込まれる。リンキング情報は、変調信号の生成を制御するためのフォーマッタ２８に結合されるリンキング装置３１に結合される。本発明によると、図２に示されている記録デバイスの制御装置２０とリンキング装置３１は、図３〜６を参照して後に説明される方法に従って記録されるように情報を論理的に配置するように構成されている。さらに、制御装置２０は、読み取り処理装置３０を介して記録担体からリンキング情報を読み取り、論理的に配置された情報に従って変調信号を生成するようにリンキング装置３１を制御するように、構成されている。
【００１６】
図３は、情報単位をトラックに記録するための位置を線図的に示す。トラック４０と、情報単位Ｎ−１、Ｎ、Ｎ＋１を記録するための連続的な位置４１、４２、４３とが線図的に示されている。ブロック境界４４は、縦線によって示されている。ＣＤシステムのような実際の記録システムでは、ブロック境界は、異なるブロックのインターリービングデータに起因して、トラックのかなりの部分の上に広がることがある。このようなシステムでは、ブロック境界は新しいデータブロックの最初のバイトを示すが、前のブロックのバイトの最後の部分が物理的にこの境界より後ろに位置することがある。
【００１７】
図４ａと４ｂは、記録位置の開始境界域と終端境界域を示す。境界域は、トラックの一部であり、リンキング情報を保持する。リンキング情報とは、現在のブロックと前または次のデータブロックと論理的に共有される情報、またはこれらに影響される情報である。例えば、リンキング情報は、ＣＩＲＣエラーコードワードなど、隣接するブロックに関連するエラーコードワードを有する。特に、リンキング情報は、すでに記録されたブロックのうち、次のブロックの論理的内容に影響する部分のみ、例えば、関連するエラーシンボルとヘッダーからのアドレスデータを含むブロックの最後の部分のみとしてもよい。一実施例においては、リンキング情報は、例えば、既存の直前のブロックの最後の後、または既存のブロックの先頭の前に、追加的に記録される情報を有することができる。一実施例においては、追加的に記録される情報は、エラー符号器（ｅｒｒｏｒ ｅｎｃｏｄｅｒ）を事前に設定するのに十分な事前設定情報を有する。このことは、エラー符号器用の同じ事前設定データを（計算後に）取得するのに必要なすべてのデータシンボルを、通常、含んでいる多数の先行するブロックを読み取る代わりに、追加的に記録された情報のみを読み取ればよいという点で有利である。さらに、事前設定情報を追加のリンキング情報に追加する際、少量のデータの記録のみでよく、これは、エラー符号器で必要なデータシンボルの最小量より短い。一実施例においては、リンキング情報は、ＣＤシステムにおけるアドレスやサブコード情報など、補助的な記録情報を有することができる。特に、ＣＤサブコードは、再生時間情報とトラック／ポーズ情報を保持する。図４ａに示されている第一実施例の場合、ブロックＮは、ブロック境界４４の間に開始境界域４５と終端境界域４６を有する。図４ｂに示されている第二実施例の場合、ブロックＮは、ブロック境界４４の外側にもリンキング情報を有する。開始境界域４５は、ブロック境界の前のランイン部分４７分延長しているが、これは、前の領域が書き込まれていない状況において可能である。終端境界域４６は、ブロック境界より後のランアウト部分４８分延長しているが、これは、次の領域が書き込まれていない状況において可能である。ランインおよび／またはランアウトブロックは、後に説明されるように、書き込まれたブロックに隣接する領域に後から記録するときに容易にリンキングできるように、リンキング情報を追加的に格納する目的で使用されることが望ましい。以下では、ＣＤシステムにおける１個のブロック（Ｎ）の書き込みとリンキングについて説明されているが、これに代えて、一連のブロックを一度に書き込むこともできる。その場合、リンキングは、最初のブロックの先頭と最後のブロックの終端に適用される。以下、リンキングに関与する３つの場合を説明する。
【００１８】
第一の場合においては、直前のブロックＮ−１は、以前に書き込まれている。新しいブロックＮの先頭部分が、この既存の記録済データにリンクされ、このことは通常はデータの付加と呼ばれる。最初に、終端境界域４６が読み取られ、リンキング情報が取り出される。このリンキング情報を使用して、例えば、前のブロックの関連するデータバイトに基いてＣＩＲＣエラー符号器を事前に設定してから新しいデータの符号化を開始することによって、変調信号を生成できる。読み取り／書き込みヘッド２２は後ろにジャンプし、再びブロックＮ−１をブロック境界４４まで走査する。この瞬間に、変調信号を使用して記録が開始される。変調信号の生成は、記録動作中に行うか、またはあらかじめ生成しておくことができる。ＣＤ−ＲＷのような書き換え可能システムの実施例においては、終端境界域はブロック境界を超えて延在し、例えば、リンキング情報を有する２ブロックとブロックＮ−１からの一部のデータが境界域を構成する。延長部分４８（例えば、この２ブロック）は、新たに生成される変調信号によって上書きされる。このようなリンクの後に、リンキングブロックは残らない。ＣＤ−Ｒのようなライトワンスシステムの実施例においては、終端境界域はブロック境界を超えて延在し、例えば、リンキング情報を有する２つのブロックとブロックＮ−１からの一部のデータが境界域を構成する。延長部分４８（例えば、この２ブロック）は上書きできないため、書き込みはその直後から始まる。リンキング領域を読み取るとき、この延長部分４８の最後におけるエラー復号器（ｅｒｒｏｒ ｄｅｃｏｄｅｒ）の状態は、完全に既知である。この既知の状態を使用すると、エラー符号器をこの既知の状態に事前に設定することによって、さらなるリンキングブロックなしでブロックＮの書き込みを開始することができる。インターリービングに起因して直前のブロックの一部となっている開始境界域におけるデータ位置は、何らかの固定データを使用して埋めることができる。このようなリンクの後には、最小数のリンキングブロックが残り、記録されたデータの中にエラーは存在しない。
【００１９】
第二の場合においては、次のブロックＮ＋１が以前に書き込まれている。新しいブロックＮの最後の部分が、既存の記録済みのデータにリンクされる。最初に、ブロックＮ＋１の開始境界域４５が読み取られ、リンキング情報が取り出される。次いで、読み取り／書き込みヘッド２２が後ろにジャンプし、ブロックＮ−１をブロック境界４４まで走査する。この瞬間において、または延長境界域４７などのランイン部分が必要である場合にはこれより早い時期に、変調信号を使用して記録が開始される。リンキング情報を使用して、例えば、次のブロックＮ＋１の最初のデータバイトをＣＩＲＣエラー符号器（ブロックＮの最後のデータバイトの後）に供給することによって、記録の最後の部分の変調信号を生成することができる。ＣＤ−ＲＷのような書き換え可能システムの実施例においては、開始境界域はブロック境界を超えて延在し、延長部分４７は新たに生成される変調信号によって上書きされる。また、このようにして生成される最後のブロックは、ブロックＮ＋１の開始境界域４５も上書きすることがある。このようなリンクの後には、リンキングブロックは残らない。ＣＤ−Ｒのようなライトワンスシステムの実施例においては、明らかに、開始境界域４５を上書きすることはできない。従って、ブロックＮ＋１の開始境界域は、変更されないままである。この開始境界域の前に位置する新しいブロックＮの終端境界域は、リンキングブロックとリンキング欠陥の数を最小にするために、この開始境界域４５のリンキング情報を使用することによって生成される。例えば、エラー復号器によって検出されるエラーの数は、書き込まれる最後のブロックを符号化するときにエラー符号器を事前に設定することによって、最小にされる。例えば、開始境界域４５は、固定内容（例：すべてゼロ）を有し、かつブロックＮの終端境界域も固定内容（例：すべてゼロ）を有し、かつ両方の境界域の中の対応するエラーコードワードも既知であり、かつリンキング領域を読み取る際には、固定内容（例：すべてゼロ）が検出され、エラーは検出されない。ここで留意すべき点は、ブロックＮ＋１まで書き込む場合のように、既存のデータブロックまでデータを書き込むときには、その既存の次ブロックの先頭まで正確に領域を埋めるために、書き込みクロックのタイミングを正確に制御する必要がある点である。この先頭の正確な位置は、リンキング情報を読み取るときに、例えば、サーボパターンに基づいて検出される。また書き込み時には、例えば、記録可能なＣＤ−ＲＷ上のトラックウォブルのようなサーボパターンをこの場合にも使用することによって、書き込みクロックが正確に制御される。
【００２０】
第三の場合においては、直前のブロックＮ−１と次のブロックＮ＋１が以前に書き込まれている。当然ながら、ブロックＮも以前に書き込まれていることがあり、その場合、ブロックＮの書き込みは、通常、データの置き換えと呼ばれる。この第三の場合には、第一と第二の場合が組み合わされて、それぞれ、ブロックＮの先頭と終端に適用される。さらに、ブロックＮをはめ込むために、リンキング情報の読み取り時にブロックＮ−１とＮ＋１の間の領域の長さが検出され、この領域を正確に埋めるように書き込みクロックが制御される。既存のブロックＮを置き換えるときには（書き換え可能システムでのみ可能）、リンキング情報を導くためにこの既存のブロックＮも読み取られる。その理由は、インターリービングに起因してこのブロックも通常はデータと、ブロックＮ−１およびＮ＋１に関連するエラーコードワードとを保持するためである。
【００２１】
図５は、ＣＤ−ＲＷのような書き換え可能システムの場合の、記録済みの位置の後に記録するための論理的リンキングをより詳細に示す。タイミングを合わせて走査されるトラック方向は、矢印５０によって示される。縦方向に描かれているデータフレーム５３（ＣＤシステムではＥＦＭフレームと呼ばれる）は、連続的に記録され、各データ・フレームの前にはＣＤサブコードなどのフレームヘッダーが存在し、矢印５２によって示されているＣＤ ＣＩＲＣ符号器からのＣ１コードワードなどのエラーコードワードを含む。ＣＤシステムにおいては、このようなデータ・フレーム１０９個が１ブロックを構成する。さらに、矢印５７によって示されているＣ２コードワードのように、さらなる追加のエラーコードワードがいくつかのフレームに含まれる、または分散されていることがある。トラックの第一部分５４は、ブロックＮ−１の最後の完全なデータ・フレームを有する。トラックの第二部分５５は、（ＣＤシステムで使用されるインターリービングに起因する）ブロックＮ−１の残りのデータバイトを含む（上側の三角形の中）。下側の三角形は、例えば、正確なリンキングポイント５８におけるＣＩＲＣエラー符号器の値など、リンキング情報６５を含む。ブロックＮ−１の記録が終了する記録停止ポイント５９の前に、さらなるリンキング情報６６を含む第二ブロック（矢印６０によって示されている）が必要となることがある。例えば、第二ブロック６０は、第一ブロック５５の中の最後のデータバイトを訂正するためのエラーコードを含むことができる。新しいブロックＮを記録する必要があるとき、最初に、ブロックＮ−１の終端境界域、すなわち、ブロック５５と６０から、リンキング情報６５、６６を検索する必要がある。新しいデータの書き込みは、リンキング情報を記録することなく正確なリンキングポイント５８において開始できる。この結果、これは、継ぎ目のないリンクとなり、一連のブロックを中断なく記録することに等しい。これに代えて、ブロックＮ−１とＮのデータバイトを考慮に入れてリンキング情報を新たに生成し、正確なリンキングポイント５８から開始してブロック５５と６０に新たに記録することができる。これに代えて、括弧５６によって示される第二ブロックから開始して新しいデータが記録されるように、新しいリンキング情報を第二ブロック６０に集中させることができる。最後の２つの場合、リンキング情報は、新たなリンキング処理用に利用可能なまま残る。このことは、例えば、ＣＤ−Ｒのようなライトワンスシステムと両立する解決策にとっての利点となることがある。
【００２２】
図６は、ライトワンスディスク上の記録済みの位置の後に記録するための論理的リンキングを示す。この図に示されている要素のほとんどは、図５と同様である。しかしながら、この図における正確なリンキングポイント６２は、第二ブロック６０の後で、かつ記録停止ポイント６１の後に位置する。当然ながら、リンキング情報を含む中間ブロック５５と６０は、ライトワンスシステムでは新たに記録することはできない。第二ブロック６０は、第一ブロック５５の中の最後のデータバイトを完全にエラー訂正するためのエラーコードを含む。記録停止ポイント６１は、ブロックＮ−１の最後のデータバイトをエラー保護するために必要な最後のエラーコードワードの直後であることが望ましい。これに代えて、記録が、より以前に、例えば、ブロック５５の最後のフレームの後に停止される場合には、エラー訂正機能はブロックＮ−１について完全には作用できない。一実施例においては、第二ブロック６０の下側の三角形６３は、エラー符号器とインターリービングパイプラインを正確なリンキングポイント６２における既知の値に事前に設定できるように、固定値（例：００）のダミーデータバイトを含む。リンキングに使用される格納スペースの量は約１．５ブロックであるが、（最初の半分にダミーデータが含まれるため）ブロックＮの後の半分は容易には使用できないため、実際にはほとんどの場合２ブロックである。
【００２３】
図７は、物理的リンキングを示す。ここで留意すべき点は、図４、５、６を参照して上述した論理的リンキングが、ブロックのフォーマッティングに関連することである。トラック内の情報のビットを表すマークの記録の開始と停止は、物理的リンキングと呼ばれる。適合する物理的リンキングは、より長いマーク、例えば、米国特許第５，４６３，６０７号（６列、４８〜５９行）に示されているＥＦＭ同期マークにより達成される。図７において、ＥＦＭフレーム７０は先頭がＳｙｎｃであり、この後にデータバイトとエラーコード（パリティシンボルとも呼ばれる）が続く。ｓｙｎｃ ７１は、１１Ｔのピットと１１Ｔのランドを含む（Ｔはチャネルビットの長さ）。最初の記録セッション７２において、書き込みは矢印７６において停止する。２番目の記録セッション７３においては、記録は矢印７７から開始される。レーザ出力制御回路の起動に起因して、小さな隙間７５が生じることがあり、この間、必要なピットが形成されない。隙間７５は、迅速に起動できるレーザ出力制御回路を使用することによって、できるだけ小さくする必要がある。通常、隙間に起因するこのような小さいエラーは、リンキング領域を読み取るときに既存のエラー修正システムが訂正する。
【００２４】
図８は、情報信号を連続的に記録するための記録方法を示す。ここでは、書き込み可能なタイプの記録担体が記録デバイスに挿入されていて、記録担体には記録済みの情報がすでにいくつか含まれていると想定する。第一ステップ９１（コマンド）において、ブロックＮを記録するためのコマンドが受信される。第二ステップ９２（走査）において、記録担体上のトラックが、ブロックＮ−１の先行位置まで走査される。第一テスト９３（直前が空白か否か）において、この先行位置が空白でないか否か（すなわち何らかの情報信号がすでに含まれているか否か）が判断される。空白でない場合には、ステップ９５（リンク）において、図５または図６を参照して上述したようにリンキングが実行される。先行位置に情報信号が存在していない場合には、ステップ９４（ランイン）において、読み取り回路をデータに固定し、かつ図４を参照して説明したようにブロックＮの開始境界域にリンキング情報を追加することができるように、ダミーデータのシーケンスを準備して位置Ｎの先頭の前に記録する。第二テスト９７（直後が空白か否か）においては、ブロックＮの後の位置Ｎ＋１の状態が判断される。次の位置Ｎ＋１が有効な情報信号を含んでいる場合には、ステップ９９（リンク情報の読み取り）においてリンキング情報が検索され、変調信号を生成するのに使用される。次の位置が空白である場合には、ステップ９８（リンク情報の挿入）において、ブロックＮの変調信号の終端境界部分にリンク情報が追加される。このステップ９８または９９の後のステップ９６において、ブロックＮの実際の変調信号が記録され、その後、次のコマンドを待つことができる。
【００２５】
本発明は、ＣＤ光記録フォーマットを使用する実施例によって説明されているが、情報単位がデータ（例：エラー訂正シンボルまたはインターリービング）を共有する、情報単位を記録するための任意のフォーマットにも適用できる。例えば、記録担体は磁気タイプのディスクまたはテープでもよい。留意すべき点は、本文書においては、成句「有する」は、記載されている以外の要素またはステップの存在を除外せず、また、要素の前の成句「１つの」は、そのような要素の複数の存在を除外しない店である。参照記号は、請求項の範囲を制限しない。本発明は、ハードウェアとソフトウェアのいずれによっても実施でき、また、いくつかの「手段」が同一のハードウェア・アイテムによって示されている場合がある。さらに、本発明の範囲は、実施例に限定されず、かつ本発明は、個々の新しい特徴、または前述されている特長の組合せに存する。
【図面の簡単な説明】
【図１】記録担体を示す。
【図２】記録デバイスを示す。
【図３】情報単位を記録するための位置を示す。
【図４ａ】記録位置の開始境界域と終端境界域を示す。
【図４ｂ】記録位置の開始境界域と終端境界域を示す。
【図５】記録済みの位置の後ろに記録するための論理的リンキングを示す。
【図６】ライトワンスディスク上の記録済みの位置の後ろに記録するための論理的リンキングを示す。
【図７】物理的リンキングを示す。
【図８】情報信号を連続的に記録するための記録方法を示す。
【符号の説明】
９　トラック
１０　中心穴
１１　記録担体
１４　プリグルーブ
１５　基板
１６　記録層
１７　保護層
２０　制御装置
２１　駆動装置
２２　ヘッド
２３　放射線スポット
２４　放射線ビーム
２５　位置決め装置
２６　制御ライン
２７　入力装置
２８　フォーマッタ
２９　変調器
３０　読み取り処理装置
３１　リンキング装置
Ｎ−１、Ｎ、Ｎ＋１　情報単位
４０　トラック
４１、４２、４３　位置
４４　ブロック境界
４５　開始境界域
４６　終端境界域
４７　ランイン部分
４８　ランアウト部分
５３　データフレーム
５４　トラックの第一部分
５５　トラックの第二部分
５８、６２　リンキングポイント
５９、６１　記録停止ポイント
６０　第二ブロック
６３　三角形
６５、６６　リンキング情報
７２、７３　最初の記録セッション
７５　隙間
【図１】
2004511874.tif 000003
【図２】
2004511874.tif 000004
【図３】
2004511874.tif 000005
【図４ａ】
2004511874.tif 000006
【図４ｂ】
2004511874.tif 000007
【図５】
2004511874.tif 000008
【図６】
2004511874.tif 000009
【図７】
2004511874.tif 000010
【図８】
2004511874.tif 000011
【国際公開パンフレット】
2004511874.tif 000012
2004511874.tif 000013
2004511874.tif 000014
2004511874.tif 000015
2004511874.tif 000016
2004511874.tif 000017
2004511874.tif 000018
2004511874.tif 000019
2004511874.tif 000020
2004511874.tif 000021
2004511874.tif 000022
2004511874.tif 000023
2004511874.tif 000024
2004511874.tif 000025
2004511874.tif 000026
2004511874.tif 000027
2004511874.tif 000028
2004511874.tif 000029
2004511874.tif 000030
2004511874.tif 000031
2004511874.tif 000032
【国際公開パンフレット（コレクトバージョン）】
2004511874.tif 000033
【国際調査報告】
2004511874.tif 000034
2004511874.tif 000035
2004511874.tif 000036
2004511874.tif 000037
2004511874.tif 000038